(57)【要約】【課題】表示部を有し、携帯端末３０を用いて自動取引をする自動取引装置１において、専用の通信ユニットを実装することなく、また、通信信号の不正傍受による盗聴や改竄などを防止する。【解決手段】自動取引装置１の表示部を、フォトセンサを内蔵する液晶パネル４にて構成し、携帯端末３０の表示部も、フォトセンサを内蔵する液晶パネル３４にて構成し、表示内容を相互にスキャンして通信し、所望の取引を自動的に行えるようにした。【選択図】図１
2011118675.tif 000002
【特許請求の範囲】
【請求項１】
表示部を有し、携帯端末を用いて自動取引を行う自動取引装置であって、
前記表示部をフォトセンサ内蔵液晶パネルにて構成し、前記携帯端末の表示内容を読み取って前記携帯端末と通信し取引を行うようにしたことを特徴とする自動取引装置。
【請求項２】
表示部を有し、自動取引装置を用いて自動取引を行う携帯端末であって、
前記表示部をフォトセンサ内蔵液晶パネルにて構成し、前記自動取引装置の表示内容を読み取って前記自動取引装置と通信して取引を行うようにしたことを特徴とする携帯端末。
【請求項３】
取引データを表示する表示装置であって、他の表示装置により表示された取引データを光学的に読み取ることができるようにしたことを特徴とする表示装置。
【請求項４】
携帯端末の表示内容を読み取って自動取引装置と通信し、自動取引装置の表示内容を読み取って携帯端末と通信して取引を行うようにしたことを特徴とする自動取引方法。
【発明の詳細な説明】
【技術分野】
【０００１】
本発明は、現金自動預払機等の自動取引装置において携帯端末を用いて自動取引を行う技術に関するものである。
【背景技術】
【０００２】
従来、現金自動預払機等の自動取引装置において、携帯電話等の携帯端末を用いて自動取引を行う場合、携帯端末とは、非接触ＩＣによる通信や赤外線通信などを用いてデータの送受信を行っていた（例えば、特許文献１参照）。
【先行技術文献】
【特許文献】
【０００３】
【特許文献１】特開２００８−１９１８０９号公報
【発明の概要】
【発明が解決しようとする課題】
【０００４】
しかしながら、非接触ＩＣによるデータの送受信や赤外線等によるデータ通信のようなインタフェイスを行うためには、それぞれ専用のユニットを実装しなければならず、装置の低価格化を妨げる要因の１つとなっていた。また、通信信号を不正に傍受され、盗聴や改竄などをされるおそれもあった。
【課題を解決するための手段】
【０００５】
本発明は、前述の課題を解決するため次の構成を採用する。すなわち、表示部を有し、携帯端末を用いて自動取引を行う自動取引装置において、前記表示部をフォトセンサ内蔵液晶パネルにて構成し、前記携帯端末の表示内容を読み取って前記携帯端末と通信し取引を行うようにした。
【発明の効果】
【０００６】
本発明の自動取引装置によれば、表示部を有し、携帯端末を用いて自動取引を行う自動取引装置において、前記表示部をフォトセンサ内蔵液晶パネルにて構成し、前記携帯端末の表示内容を読み取って前記携帯端末と通信し取引を行うようにしたので、特別な通信ユニットを設けることを要せず、装置の低価格化が可能となり、また、通信信号の不正傍受による盗聴や改竄なども確実に防止することもできる。
【図面の簡単な説明】
【０００７】
【図１】実施例１の自動取引装置の概観斜視図である。
【図２】実施例１の自動取引装置の制御系ブロック図である。
【図３】実施例１の携帯端末の外観を示す構成図である。
【図４】実施例１の携帯端末の制御系ブロック図である。
【図５】実施例１の自動取引装置および携帯端末の動作フローチャート図である。
【図６】フォトセンサ内蔵液晶パネルの構成の一例（斜視図および拡大図）である。
【図７】フォトセンサ内蔵液晶パネルの構成の一例（断面図）である。
【発明を実施するための形態】
【０００８】
以下、本発明に係わる実施の形態例を、図面を用いて説明する。図面に共通する要素には同一の符号を付す。なお、以下の説明では、現金自動預払機を例として説明するが、切符、定期等の発券機などの自動券売機などにも本発明を容易に適用することができる。
【実施例１】
【０００９】
（構成）
（自動取引装置の外観構成）
実施例１の自動取引装置１は、図１のような外観をしており、硬貨入出金口２、紙幣入出金口３、表示操作部として機能するフォトセンサ内蔵液晶パネル４、通帳挿入口５、カード挿入口６を備えている。
【００１０】
紙幣入出金口３は、紙幣が投入されるとともに、これらが排出される開口部である。紙幣入出金口３には、シャッタが設けられシャッタが駆動されることにより紙幣入出金口３が開閉される。
【００１１】
カード挿入口６は、カードを用いて取引を行う場合、当該カードがここから挿入され、取引が終了するとここから排出される。通帳挿入口５は、取引で使用される通帳がここから挿入され、取引が終了するとここから排出される。また、硬貨入出金口２は、硬貨が投入または排出される開口部である。
【００１２】
紙幣入出金口３は、入金紙幣が投入されるとともに、出金紙幣が排出される部分で、その奥部には、図示していないが後述の紙幣の入出金処理を行う紙幣処理部２６が設けられている。カード挿入口６は、カードが挿入または排出される部分で、その奥部には、図示していないが後述のカード処理部２１が設けられている。
【００１３】
硬貨入出金口２は、入金硬貨が投入されるとともに、出金硬貨が排出される部分で、その奥部には、図示しないが、硬貨の入出金処理を行う後述の硬貨処理部２５が設けられている。通帳挿入出口５は、通帳が挿入または排出される部分で、その奥部には、図示していないが後述の通帳処理部２３が設けられている。
【００１４】
表示操作部として機能するフォトセンサ内蔵液晶パネル４は、後述記載の構成となっており、顧客の操作により各種の入力を行なうとともに、操作ガイダンス等が表示される。
【００１５】
フォトセンサ内蔵液晶パネル４は、図６の外観図および図７の断面図に示したような構造となっており、通常の液晶パネル部分としての、バックライト１２０、バックライト１２０の上面および表面に設けられた偏向板１２１および１２５、各画素との電気的接続回路として機能するアレイ基板１２２、各画素のカラーフィルタとして機能するカラーフィルタ基板１２４とからなる。
【００１６】
そして、フォトセンサ内蔵型としての液晶層は、図６右側に示したように液晶の画素（赤）１０１ｒ、画素（緑）１０１ｇ、画素（青）１０１ｂに加えて、フォトセンサ素子１００ａがそれぞれの画素に設けられた構成となっており、表示機能とともにスキャナーとしての機能も有する構成となっている。
【００１７】
そして、これらの液晶画素およびフォトセンサ素子が、それぞれフォトセンサ駆動回路１００、液晶駆動回路１０１により駆動されて、液晶表示およびフォトセンサが動作するようになっている。なお、ボタンなどの押下は、指の接近をフォトセンサによるスキャン画像から認識し押下と判断するようにすればよい。或いは、フォトセンサ素子１００ａのほか、図示していないが、所定の押圧により導通するタッチセンサ素子を各画素に設けた構成とし、当該タッチセンサ素子のオンオフを検出し、所定の範囲の押下を検出するようにしてもよい。
【００１８】
（自動取引装置の内部構成）
実施例１の自動取引装置の内部は、図２に示したように、後述する各部の制御を行う主制御部２０と、前述の表示操作部として機能するフォトセンサ内蔵液晶パネル４と、キャッシュカード等に記録された情報のリードライトを行うカード処理部２１と、音声やブザーによりガイダンスを出力する音声案内部２２と、通帳の磁気ストライプのリードライトおよび通帳への印字制御を行う通帳処理部２３と、取引内容の明細票を印字して出力する明細票処理部２４と、図示しない硬貨入出金金庫や硬貨装填庫を備え硬貨の入出金制御を行う硬貨処理部２５と、図示しない紙幣入出金金庫や紙幣装填庫を備え紙幣の入出金制御を行う紙幣処理部２６と、からなる。
【００１９】
さらに、各部に電源を供給する電源部２７、主制御部の記憶部として機能するメモリ部２８と、図示しないホストコンピュータとのインタフェイスを制御するインタフェイス部２９を有する。
【００２０】
（携帯端末の外観構成）
実施例１の携帯端末３０は、図３のような外観をしており、自動取引装置１のフォトセンサ内蔵液晶パネル４と同様の構成で画素数が比較的少ないフォトセンサ内蔵液晶パネル３４と、携帯端末３０の各種操作を行うためのボタンからなるキー操作部３２を備えている。
【００２１】
（携帯端末の内部構成）
実施例１の携帯端末３０の内部は、図４に示したように、後述する各部の制御を行う主制御部３１と、前述の表示部として機能するフォトセンサ内蔵液晶パネル３４と、各部に電源を供給する電源部３５、主制御部３１の記憶部として機能するメモリ部３３と、図示しない公衆回線やインターネット等の通信網との通信を制御するインタフェイス部３６を有する。
【００２２】
（動作）
以上の構成により実施例１の自動取引装置１および携帯端末３１は以下のように動作する。以下、図５の動作フローチャート図を用いて、顧客が取引として出金取引を行った場合を例として、詳細な動作を説明する。
【００２３】
まず、顧客が自動取引装置１に接近すると、これを近接センサ等により検知し、自動取引装置１は、取引選択画面をフォトセンサ内蔵液晶パネル４に表示する。このとき、携帯端末３０を用いて取引を行うかどうかの選択ボタンも表示する。
【００２４】
そして、顧客が出金取引を選択し出金取引ボタンを押下し、携帯端末３０を用いて取引を行うボタンを押下し、これをフォトセンサ内蔵液晶パネル４のフォトセンサにより検知すると、携帯端末３０を用いた出金取引が開始される。
【００２５】
そして、自動取引装置１の主制御部２０はフォトセンサ内蔵液晶パネル４に携帯端末３０に対して「通信開始」の旨を表示し（ステップＳ０１）、フォトセンサによる携帯端末３０からの表示のスキャンを開始する（ステップＳ０２）。なお、自動取引装置１のフォトセンサ内蔵液晶パネル４に表示する「通信開始」の旨の表示は、バーコードや２次元バーコード等によりコード化して表示してもよいし、文字として表示してもよい。
【００２６】
このとき、自動取引装置１のフォトセンサ内蔵液晶パネル４に、例えば、「携帯端末の画面を自動取引装置の画面と向かい合わせになるように置いてください」などを表示する。
【００２７】
一方、顧客は、携帯端末３０の自動取引装置１との通信を行うアプリケーションを起動し、本人確認のための認証コードや出金する金額等を入力した後、自動取引装置のフォトセンサ内蔵液晶パネル４の上に置く（ステップＳ０３）。
【００２８】
そして、携帯端末３０のフォトセンサ内蔵液晶パネル３４は、自動取引装置１のフォトセンサ内蔵液晶パネル４に表示されている「通信開始」の旨の表示をフォトセンサにより検知し（ステップＳ０４）、自動取引装置１との通信を開始する準備を行い（ステップＳ０５）、「通信準備完了」の旨を携帯端末３０のフォトセンサ内蔵液晶パネル３４に表示し（ステップＳ０６）、フォトセンサにより自動取引装置１のフォトセンサ内蔵液晶パネル４の表示内容のスキャンを開始する（ステップＳ０７）。
【００２９】
なお、「通信開始」の旨の表示の検知は、フォトセンサによりスキャンした画像を用いて通信開始を表わす２次元バーコード等をパタンマッチングにより画像認識したり、「通信開始」の文字から文字認識をしたりするようにすればよい。携帯端末側の前記「通信準備完了」の旨の表示についても、自動取引装置１の表示と同様に、バーコードや２次元バーコード等によりコード化して表示したり、文字として表示したりすればよい。
【００３０】
すると、自動取引装置１は、携帯端末３０のフォトセンサ内蔵液晶パネル３４の「通信準備完了」の旨をフォトセンサ内蔵液晶パネル４のフォトセンサにて検知する（ステップＳ０８）。
【００３１】
携帯端末３０がデータ受信可能な状態となっていると判断した自動取引装置１は、次に、出金取引のための"通信データ"をフォトセンサ内蔵液晶パネル４にて表示する（ステップＳ０９）。なお、通信終了の場合は、"通信データ"としては「通信終了」の旨を表示する。
【００３２】
そして、通信終了でない場合は（ステップＳ１０）、携帯端末３０のフォトセンサ内蔵液晶パネル３４に表示される"通信データ"のスキャンを開始し（ステップＳ１１）、後述のステップＳ１４にて携帯端末３０からの"通信データ"を受信すると、ステップＳ０９に戻り、次の"通信データ"を表示し、以下同様の処理を行う。
【００３３】
一方、ステップＳ１０にて、通信終了の場合は、自動取引装置１は、携帯端末３０からの出金データに基づいて出金処理を行い、本処理を終了する
【００３４】
一方、携帯端末３０は、自動取引装置１のフォトセンサ内蔵液晶パネル４に表示された"通信データ"を携帯端末３０のフォトセンサ内蔵液晶パネル３４のフォトセンサにより検知し（ステップＳ１２）、自動取引装置１からの通信データが通信終了を示すデータであった場合、携帯端末３０は、本処理を終了する（ステップＳ１３）。
【００３５】
一方、自動取引装置１からの"通信データ"が通信終了を示すデータでなかった場合は、応答データとして本人確認のための認証コードや出金金額などの"通信データ"をフォトセンサ内蔵液晶パネル３４に表示し（ステップＳ１４）、フォトセンサにより自動取引装置１のフォトセンサ内蔵液晶パネル４の表示内容のスキャンを開始し（ステップＳ１５）、ステップＳ１２に戻り、自動取引装置１からの次の"通信データ"の受信を待ち、以降の処理を同様に行う。
【００３６】
なお、以上の実施例の説明では、携帯端末を例として説明したが、フォトセンサ内蔵液晶パネルをカード状の媒体とし、当該媒体を用いて自動取引装置と通信を行い、取引を行うようにしてもよい。
【００３７】
（実施例１の効果）
以上詳細に述べたように実施例１の自動取引装置および携帯端末によれば、表示部をフォトセンサ内蔵液晶パネルにて構成し、表示内容を相互にスキャンして通信し取引を行えるようにしたので、特別な通信ユニットを設けることを要せず、装置の低価格化が可能となり、また、通信信号の不正傍受による盗聴や改竄なども確実に防止することもできる。
【産業上の利用可能性】
【００３８】
以上述べたように、本発明は、携帯端末を用いて自動取引を行う現金自動預払機等の自動取引装置に広く利用することができる。
【符号の説明】
【００３９】
１    自動取引装置
４    フォトセンサ内蔵液晶パネル
２０  主制御部
３０  携帯端末
３１  主制御部
３２  キー操作部
３４  フォトセンサ内蔵液晶パネル
【図１】
2011118675.tif 000003
【図２】
2011118675.tif 000004
【図３】
2011118675.tif 000005
【図４】
2011118675.tif 000006
【図５】
2011118675.tif 000007
【図６】
2011118675.tif 000008
【図７】
2011118675.tif 000009